(57)【要約】【課題】端末装置がおかれる場所を問わずに、迅速かつ容易に高品質なテレビ放送を視聴することができるテレビ放送受信補助システム、端末装置、補助サーバー装置及びテレビ放送受信補助方法を提供すること。【解決手段】端末装置２−１は、現在の位置情報を算出する算出手段１−１，１−２と、現在の位置情報を前記補助サーバー装置に送信する端末側送信手段１−６と、前記サーバー装置から送信された補助情報を受信する受信手段１−６と、前記受信手段１−６によって受信された補助情報に基づいて、前記アンテナの向きを表示する表示手段１−３とを備え、前記補助サーバー装置は、前記位置情報と前記補助情報とを対応付けて記憶する記憶手段と、前記端末側送信手段によって送信された現在の位置情報に基づいて、前記記憶手段から前記補助情報を抽出し、前記端末装置に送信するサーバー側送信手段とを備えることを特徴とする。【選択図】図１
2009239629.tif 000002
【特許請求の範囲】
【請求項１】
変位可能なテレビ放送受信用のアンテナを備える端末装置と、前記端末装置に接続される補助サーバー装置とを有するテレビ放送受信補助システムであって、
前記端末装置は、
現在の位置情報を算出する算出手段と、
前記算出手段によって算出された現在の位置情報を前記補助サーバー装置に送信する端末側送信手段と、
前記補助サーバー装置から送信された、前記アンテナの向きを調整するための補助情報を受信する受信手段と、
前記受信手段によって受信された補助情報に基づいて、前記アンテナの向きを表示する表示手段とを備え、
前記補助サーバー装置は、
前記位置情報と前記補助情報とを対応付けて記憶する記憶手段と、
前記端末側送信手段によって送信された現在の位置情報に基づいて、前記記憶手段から前記補助情報を抽出し、前記端末装置に送信するサーバー側送信手段とを備えることを特徴とするテレビ放送受信補助システム。
【請求項２】
前記記憶手段は、前記位置情報と前記補助情報と電波の受信強度情報とを対応付けて記憶し、
前記サーバー側送信手段は、前記端末側送信手段によって送信された現在の位置情報に基づいて、前記現在の位置情報に対応する前記補助情報及び前記受信強度情報と、前記現在の位置情報の周辺の位置情報、前記周辺の位置情報に対応する前記補助情報及び前記受信強度情報とを前記記憶手段から抽出し、前記抽出した情報を前記端末装置に送信し、
前記表示手段は、前記受信手段によって受信された周辺の位置情報、補助情報及び受信強度情報に基づいて、前記アンテナの向きと、現在の位置情報に対応する受信強度よりも大きい受信強度を有する位置情報への誘導指示とを表示することを特徴とする請求項１に記載のテレビ放送受信補助システム。
【請求項３】
補助サーバー装置に接続され、変位可能なテレビ放送受信用のアンテナを備える端末装置であって、
現在の位置情報を算出する算出手段と、
前記算出手段によって算出された現在の位置情報を前記補助サーバー装置に送信する端末側送信手段と、
前記端末側送信手段から送信された現在の位置情報に基づいて前記サーバー装置から送信された、前記アンテナの向きを調整するための補助情報を受信する受信手段と、
前記受信手段によって受信された補助情報に基づいて、前記アンテナの向きを表示する表示手段とを備えることを特徴とする端末装置。
【請求項４】
変位可能なテレビ放送受信用のアンテナを備える端末装置に接続される補助サーバー装置であって、
位置情報と前記アンテナの向きを調整するための補助情報とを対応付けて記憶する記憶手段と、
前記端末装置によって送信された現在の位置情報に基づいて、前記記憶手段から前記補助情報を抽出し、前記端末装置に送信するサーバー側送信手段とを備えることを特徴とする補助サーバー装置。
【請求項５】
変位可能なテレビ放送受信用のアンテナを備える端末装置と、前記端末装置に接続される補助サーバー装置とを有するテレビ放送受信補助システムにおけるテレビ放送受信補助方法であって、
前記端末装置は、
現在の位置情報を算出する算出ステップと、
前記算出ステップによって算出された現在の位置情報を前記補助サーバー装置に送信する端末側送信ステップと、
前記補助サーバー装置から送信された、前記アンテナの向きを調整するための補助情報を受信する受信ステップと、
前記受信ステップによって受信された補助情報に基づいて、前記アンテナの向きを表示する表示ステップとを含み、
前記補助サーバー装置は、
前記端末側送信ステップによって送信された現在の位置情報に基づいて、前記位置情報と前記補助情報とを対応付けて記憶する記憶手段から前記補助情報を抽出し、前記端末装置に送信するサーバー側送信ステップを備えることを特徴とするテレビ放送受信補助方法。
【発明の詳細な説明】
【技術分野】
【０００１】
本発明は、テレビ放送の受信補助を行うテレビ放送受信補助システム、端末装置及び補助サーバー装置に関する。
【背景技術】
【０００２】
従来より、例えば携帯電話などの端末装置において、無線による種々の通信が行われている（例えば、特許文献１〜３参照。）。
これら端末装置の中には、ワンセグ放送などのように、当該端末装置において、変位可能なアンテナを介してテレビ放送用の電波を受信して、テレビ番組などを表示することができるようなものが知られている。
ここで、従来の据え置き型テレビの場合、アンテナは固定されているため、設置工事の際にアンテナの向きを一度調整してしまえば、一般的にはそれ以後の調整の必要はない。
【特許文献１】特開２００４−３１２５２８号公報
【特許文献２】特開２００５−３２８２６１号公報
【特許文献３】特開２００７−１８０９１７号公報
【発明の開示】
【発明が解決しようとする課題】
【０００３】
しかしながら、上記のような端末装置では、携帯電話自体が持ち運ばれるため、より品質のよい音声や画像を視聴するためには、その場所ごとにアンテナの向きなどを調整しなければならないという問題がある。特に、放送局から遠い場所では放送波の受信レベルも低くなり、視聴のためにはピンポイントにアンテナの向きを調整する必要があり、当該アンテナ調整が困難であった。
【０００４】
本発明は、このような事情に鑑みてなされたものであって、端末装置がおかれる場所を問わずに、迅速かつ容易に高品質なテレビ放送を視聴することができるテレビ放送受信補助システム、端末装置、補助サーバー装置及びテレビ放送受信補助方法を提供することを目的とする。
【課題を解決するための手段】
【０００５】
上記課題を解決するために、本発明は以下の手段を提供する。
本発明は、変位可能なテレビ放送受信用のアンテナを備える端末装置と、前記端末装置に接続される補助サーバー装置とを有するテレビ放送受信補助システムであって、前記端末装置は、現在の位置情報を算出する算出手段と、前記算出手段によって算出された現在の位置情報を前記補助サーバー装置に送信する端末側送信手段と、前記補助サーバー装置から送信された、前記アンテナの向きを調整するための補助情報を受信する受信手段と、前記受信手段によって受信された補助情報に基づいて、前記アンテナの向きを表示する表示手段とを備え、前記補助サーバー装置は、前記位置情報と前記補助情報とを対応付けて記憶する記憶手段と、前記端末側送信手段によって送信された現在の位置情報に基づいて、前記記憶手段から前記補助情報を抽出し、前記端末装置に送信するサーバー側送信手段とを備えることを特徴とする。
【０００６】
この発明によれば、算出手段が現在の位置情報を算出し、端末側送信手段が、現在の位置情報を補助サーバー装置に送信する。そして、サーバー側送信手段は、現在の位置情報に基づいて、記憶手段から補助情報を抽出し、端末装置に送信する。端末装置の受信手段は、補助情報を受信し、表示手段は、その補助情報に基づいて、アンテナの向きを表示する。
これにより、現在位置における最適なアンテナの向きを使用者に知らしめることができる。そのため、使用者がその表示にしたがってアンテナの向きを調整するだけで、端末装置がおかれる場所を問わずに、迅速かつ容易に高品質なテレビ放送を視聴することができる。
【０００７】
また、本発明は、前記記憶手段は、前記位置情報と前記補助情報と電波の受信強度情報とを対応付けて記憶し、前記サーバー側送信手段は、前記端末側送信手段によって送信された現在の位置情報に基づいて、前記現在の位置情報に対応する前記補助情報及び前記受信強度情報と、前記現在の位置情報の周辺の位置情報、前記周辺の位置情報に対応する前記補助情報及び前記受信強度情報とを前記記憶手段から抽出し、前記抽出した情報を前記端末装置に送信し、前記表示手段は、前記受信手段によって受信された周辺の位置情報、補助情報及び受信強度情報に基づいて、前記アンテナの向きと、現在の位置情報に対応する受信強度よりも大きい受信強度を有する位置情報への誘導指示とを表示することを特徴とする。
【０００８】
この発明によれば、サーバー側送信手段は、端末側送信手段によって送信された現在の位置情報に基づいて、現在の位置情報に対応する補助情報及び受信強度情報と、現在の位置情報の周辺の位置情報、周辺の位置情報に対応する補助情報及び受信強度情報とを記憶手段から抽出し、抽出した情報を端末装置に送信する。そして、表示手段は、受信手段によって受信された周辺の位置情報、補助情報及び受信強度情報に基づいて、アンテナの向きと、現在の位置情報に対応する受信強度よりも大きい受信強度を有する位置情報への誘導指示とを表示する。
これにより、電波の強度が弱い場所であっても、テレビ放送を良好に受信することができる位置まで、使用者を案内することができる。
【０００９】
また、本発明は、補助サーバー装置に接続され、変位可能なテレビ放送受信用のアンテナを備える端末装置であって、現在の位置情報を算出する算出手段と、前記算出手段によって算出された現在の位置情報を前記補助サーバー装置に送信する端末側送信手段と、前記端末側送信手段から送信された現在の位置情報に基づいて前記サーバー装置から送信された、前記アンテナの向きを調整するための補助情報を受信する受信手段と、前記受信手段によって受信された補助情報に基づいて、前記アンテナの向きを表示する表示手段とを備えることを特徴とする。
【００１０】
また、本発明は、変位可能なテレビ放送受信用のアンテナを備える端末装置に接続される補助サーバー装置であって、位置情報と前記アンテナの向きを調整するための補助情報とを対応付けて記憶する記憶手段と、前記端末装置によって送信された現在の位置情報に基づいて、前記記憶手段から前記補助情報を抽出し、前記端末装置に送信するサーバー側送信手段とを備えることを特徴とする。
【００１１】
また、本発明は、変位可能なテレビ放送受信用のアンテナを備える端末装置と、前記端末装置に接続される補助サーバー装置とを有するテレビ放送受信補助システムにおけるテレビ放送受信補助方法であって、前記端末装置は、現在の位置情報を算出する算出ステップと、前記算出ステップによって算出された現在の位置情報を前記補助サーバー装置に送信する端末側送信ステップと、前記補助サーバー装置から送信された、前記アンテナの向きを調整するための補助情報を受信する受信ステップと、前記受信ステップによって受信された補助情報に基づいて、前記アンテナの向きを表示する表示ステップとを含み、前記補助サーバー装置は、前記端末側送信ステップによって送信された現在の位置情報に基づいて、前記位置情報と前記補助情報とを対応付けて記憶する記憶手段から前記補助情報を抽出し、前記端末装置に送信するサーバー側送信ステップを備えることを特徴とする。
【発明の効果】
【００１２】
本発明によれば、端末装置がおかれる場所を問わずに、迅速かつ容易に高品質なテレビ放送を視聴することができる。
【発明を実施するための最良の形態】
【００１３】
（実施形態１）
以下、本発明の第１の実施形態におけるテレビ放送受信補助システムについて、図面を参照して説明する。
図２は、本発明の第１の実施形態としてのテレビ放送受信補助システム１を示したものである。
テレビ放送受信補助システム１は、複数の携帯電話端末（端末装置）２−１と、これら携帯電話端末２−１と無線通信を行う携帯電話基地局２−２と、これら携帯電話基地局２−２と有線通信を行う補助サーバー装置２−３とを備えている。
【００１４】
携帯電話端末２−１は、図１に示すように、制御回路部（算出手段）１−１と、ＧＰＳ回路部（算出手段）１−２と、表示部（表示手段）１−３と、ＴＶ回路部１−４と、無線回路部（端末側送信手段、受信手段）１−６とを備えている。また、携帯電話端末２−１は、アンテナ１−５，１−７，１−８と、バッテリー１−９と、電源回路部１−１０と、スピーカー１−１１と、マイク１−１２と、操作部１−１３とを備えている。
制御回路部１−１は、ＣＰＵ及びメモリーとを備えており、携帯電話端末２−１に実装される各種デバイスの制御を行い、携帯電話端末２−１の各機能を実現する。
ＧＰＳ回路部１−２は、アンテナ１−８を介してＧＰＳ衛星からの電波を受信する為の回路ブロックである。
【００１５】
表示部１−３は、携帯電話端末２−１としての各種情報（操作メニュー，電話帳，時刻等，ＴＶ画面）の表示を行うものである。
ＴＶ回路部１−４は、アンテナ１−５を介してワンセグ放送を受信する為の回路ブロックである。
無線回路部１−６は、携帯電話基地局２−２との間で、アンテナ１−７を介して無線通信を行うものである。
バッテリー１−９は、電源回路部１−１０を介して、制御回路部１−１に電源を供給するものである。
スピーカー１−１１は、制御回路部１−１の指示に基づいて、音声を放音するものである。
マイク１−１２は、音声を電気信号として制御回路部１−１に出力するものである。
操作部１−１３は、電話、メール、ワンセグ放送などの各種操作を受け付け、各種操作に応じた信号を制御回路部１−１に出力するものである。
【００１６】
図３は、携帯電話端末２−１の外観を示す斜視図である。
携帯電話端末２−１は、第１の筐体３−２と第２の筐体３−３とが、ヒンジ部３−４を介して開閉可能に連結されて構成されている。
第２の筐体３−３には、マイク１−１２及び操作部１−１３が設けられている。
第１の筐体３−２には、表示部１−３及びスピーカー１−１１が設けられている。また、第１の筐体３−２には、方向が変えられるように変位可能に設けられたアンテナ３−１が設けられている。
このアンテナ３−１は、図１に示すアンテナ１−５，１−７，１−８として機能するものである。すなわち、アンテナ３−１は、例えばワンセグ放送受信用のアンテナ等であり、最適な受信状態に調整されるために、アンテナの方位や仰角をユーザーの手により自由に調整できる機構が設けられている。
【００１７】
また、図２に示すように、携帯電話基地局２−２は、有線ネットワークに接続されている。有線ネットワーク内には、携帯電話の加入者情報を管理するサーバーや、メールサーバー、インターネットへのルートサーバー及び音声トラフィックを処理する交換器などが設けられており、全体で携帯電話ネットワークを形成している。
さらに、有線ネットワークには、補助サーバー装置２−３が接続されている。
【００１８】
補助サーバー装置２−３は、携帯電話サービスエリア内のあらゆる場所での最適なＴＶ用アンテナの調整補助情報を記憶する記憶部（不図示）と、携帯電話基地局２−２を介して携帯電話端末２−１と通信を行う通信部（不図示、サーバー側送信手段）とを備えている。
記憶部は、位置情報と調整補助情報とを対応付けて記憶している。これら情報は、あらかじめ記憶手段に記憶してもよいし、携帯電話基地局２−２からの記録・更新指示により適宜記憶・更新されてもよい。
すなわち、補助サーバー装置２−３は、携帯電話端末２−２から現在の位置情報の照会を受けたときに、現在の位置での最適な調整補助情報を応答するものである。
なお、調整補助情報とは、最適な受信状態を得る為のＴＶ用アンテナを向ける方位および仰角からなる情報である。
【００１９】
次に、このように構成された本実施形態におけるテレビ放送受信補助システム１の動作について説明する。
この携帯電話端末２−１では、使用者がＴＶ受信機能を起動すると、ＧＰＳにより自分の居る現在位置の検出が行われる。すなわち、制御回路部１−１は、ＧＰＳ回路部１−２を制御し、ＧＰＳ衛星からの電波の受信を行い、現在の位置情報を算出する。
なお、制御回路部１−１は、ＧＰＳ衛星からの電波の受信に失敗した場合、位置情報の算出は行わずに、携帯電話基地局２−２からその携帯電話基地局２−２の所在地情報を受け取り位置情報の代替とする。
【００２０】
さらに、制御回路部１−１は、算出した現在の位置情報を、ＴＶ回路部１−４及びアンテナ１−５を介して携帯電話基地局２−２に送信する。
携帯電話基地局２−２は、携帯電話端末２−１が送信した現在の位置情報を受信し、携帯電話ネットワークを介して補助サーバー装置２−３に送信する。
補助サーバー装置２−３では、携帯電話基地局２−３が送信した現在の位置情報を、通信部を介して受信し、当該現在の位置情報に基づいて、調整補助情報を決定する。すなわち、補助サーバー装置２−３は、受信した現在の位置情報と対応する調整補助情報を記憶手段から抽出する。
そして、補助サーバー装置２−３は、抽出した調整補助情報を、通信部を介して携帯電話基地局２−２に送信する。
【００２１】
携帯電話基地局２−２は、補助サーバー装置２−３から送信された調整補助情報を受信し、携帯電話ネットワークを介して、携帯電話端末２−１に送信する。
携帯電話端末２−１の制御回路部１−１は、携帯電話基地局２−２から送信された調整補助情報を、アンテナ１−７及び無線回路部１−６を介して受信する。そして、制御回路部１−１は、受信した調整補助情報に基づいて、アンテナ３−１を指向させるべき方向（方位、仰角）についての情報を表示部１−３に表示する。
【００２２】
図４は、アンテナ３−１を指向させるべき方向についての情報を表示部１−３に表示したときの表示部１−３の画面を示すものである。
符号４−１に示す部位には、アンテナ１−５及びＴＶ回路部１−４を介して受信されたＴＶ画面が表示される。符号４−２に示す部位には、現在の位置周辺の地図が表示されており、符号４−３に示した円形のポインタが現在の位置を示している。符号４−４は、ＴＶ用アンテナを向けるべき方位を矢印で示している。また、符号４−５は、ＴＶ用アンテナを向けるべき仰角を矢印で示している。
このような表示のもと、使用者は、表示部１−３に表示された情報をもとに、アンテナ３−１の向き（方位、仰角）を調整する。これにより、調整補助情報が無い場合に比べて簡便にアンテナ３−１の向きを調整する事ができる。
【００２３】
以上より、本実施形態におけるテレビ放送受信補助システム１によれば、携帯電話端末２−１のＴＶ機能使用時において、アンテナ３−１を向けるべき方向を表示部１−３に表示することにより、ユーザーのアンテナ向きの調整を補助し簡便にする効果がある。
【００２４】
（実施形態２）
次に、本発明の第２の実施形態について説明する。
図５及び図６は、本発明の第２の実施形態を示したものである。
図５及び図６において、図１から図４に記載の構成要素と同一部分については、その説明を省略する。
この実施形態と上記第１の実施形態とは基本的構成は同一であり、ここでは主として異なる点について説明する。
【００２５】
本実施形態におけるテレビ放送受信補助システム１は、表示部１−３の表示に従ってアンテナの方向を調整しても、ＴＶ電波の受信が困難な場所である場合に、ＴＶ電波受信可能な場所までの移動を誘導する機能を付加したものである。
すなわち、補助サーバー装置２−３の記憶手段には、携帯電話サービスエリア内のあらゆる場所でのＴＶ電波がどれくらい受信できるか、および受信できないかを示す受信強度情報が、位置情報と調整補助情報と対応付けられて記憶されている。
そして、補助サーバー装置２−３は、受信した現在の位置情報に対応する調整補助情報と受信強度情報とを抽出する。さらに、補助サーバー装置２−３は、受信した現在の位置情報の周辺の位置情報と、これら周辺の位置情報に対応する複数の調整補助情報と受信強度情報とを抽出する。そして、補助サーバー装置２−３は、抽出した各情報を、携帯電話基地局２−２を介して携帯電話端末２−１に送信する。
【００２６】
携帯電話端末２−１の制御回路部１−１は、それら各情報を受信し、当該各情報に基づいて、現在の位置におけるアンテナの方向及び受信強度を表示部１−３に表示する。さらに、制御回路部１−１は、表示部１−３の現在地周辺の地図５−１内において、現在の位置情報の周辺の位置情報に対応する複数の位置に、それぞれの受信強度情報を表示する。また、制御回路部１−１は、現在の位置情報に対応する受信強度が、あらかじめ設定された閾値以下であるか否かを判定する。制御回路部１−１は、現在の位置情報に対応する受信強度が、閾値よりも大きいと判定した場合、誘導処理を終了する。一方、制御回路部１−１は、その受信強度が閾値以下であると判定した場合には、現在の位置情報に対応する受信強度よりも大きい受信強度を有する位置情報があるか否かを判定し、その位置情報がある場合、ＧＰＳ回路部１−２を利用して、現在位置からその位置までの誘導指示を表示部１−３に表示する。
【００２７】
なお、図５において、現在地周辺の地図５−１内の表示が、第１の実施形態とは異なっている。符号５−２に示した円形のポインタが現在位置を示している。符号５−３に示した図形は、その場所でのＴＶ電波の受信状態を示すものであり、図６に表示図形と表示の意味との対応を示す。符号５−４に示す矢印は、現在位置がＴＶ電波の受信が困難な場所の場合（受信強度が閾値以下である場合）に表示され、現在位置付近にてＴＶ電波が受信可能な場所への方向を示した誘導表示となっている。誘導表示５−４の表示条件は、図６に示している。符号５−３及び符号５−４の表示により、使用者はＴＶ電波の受信が可能な場所まで移動することが可能となる。
なお、本発明の技術範囲は上記の実施形態に限定されるものではなく、本発明の趣旨を逸脱しない範囲において、種々の変更を加えることが可能である。
【図面の簡単な説明】
【００２８】
【図１】本発明に係るテレビ放送受信補助システムの第１の実施形態における端末装置を機能ごとに示すブロック図である。
【図２】本発明に係るテレビ放送受信補助システムを示す全体構成図である。
【図３】図２の端末装置の外観を示す斜視図である。
【図４】図２の端末装置の表示部の表示画面を示す説明図である。
【図５】本発明に係るテレビ放送受信補助システムの第２の実施形態を示す図であって、表示部の表示画面を示す説明図である。
【図６】図５における表示アイコンと、表示の意味及び誘導表示との対応を示す説明図である。
【符号の説明】
【００２９】
１    テレビ放送受信補助システム
１−１  制御回路部（算出手段）
１−２  ＧＰＳ回路部（算出手段）
１−３  表示部（表示手段）
１−６  無線回路部（端末側送信手段、受信手段）
２−１  携帯電話端末（端末装置）
２−３  補助サーバー装置
３−１  アンテナ
【図１】
2009239629.tif 000003
【図２】
2009239629.tif 000004
【図３】
2009239629.tif 000005
【図４】
2009239629.tif 000006
【図５】
2009239629.tif 000007
【図６】
2009239629.tif 000008